(57)【要約】【課題】手摺を支持する支柱に横桟を見栄え良く固定し得る手摺支持装置を提供する。【解決手段】手摺長手方向に間隔を空けて設置される複数本の支柱２０と、これら支柱の高さ方向途中部位に配される横桟２５と、この横桟が挿通される略四角筒状とされ該横桟を前記支柱に固定する横桟固定部材１０と、を備えており、前記横桟固定部材における前記支柱の側面２１に対面される第１側壁１４に平行状に配された第２側壁１７には、前記第１側壁を貫通して前記支柱に止着される止具８の挿通孔１８が設けられ、これら第１側壁及び第２側壁の下端部を接続するように設けられた下側壁１２には、前記横桟に止着される止具９の挿通孔１３が設けられている。【選択図】図１
2020033738.tif 000002
【特許請求の範囲】
【請求項１】
手摺長手方向に間隔を空けて設置される複数本の支柱と、これら支柱の高さ方向途中部位に配される横桟と、この横桟が挿通される略四角筒状とされ該横桟を前記支柱に固定する横桟固定部材と、を備えており、
前記横桟固定部材における前記支柱の側面に対面される第１側壁に平行状に配された第２側壁には、前記第１側壁を貫通して前記支柱に止着される止具の挿通孔が設けられ、これら第１側壁及び第２側壁の下端部を接続するように設けられた下側壁には、前記横桟に止着される止具の挿通孔が設けられていることを特徴とする手摺支持装置。
【請求項２】
請求項１において、
前記下側壁の挿通孔は、前記横桟固定部材が前記支柱に固定された状態で、止具の頭部が前記支柱の手摺長手方向に沿う幅方向両側に露出しないように設けられていることを特徴とする手摺支持装置。
【請求項３】
請求項１または２において、
前記第２側壁の挿通孔を覆うキャップ部材を備えていることを特徴とする手摺支持装置。
【請求項４】
請求項１乃至３のいずれか１項において、
前記支柱の側面には、該側面において開口する凹部が設けられ、前記横桟固定部材の第１側壁には、前記支柱の凹部に挿入される突出部が設けられていることを特徴とする手摺支持装置。
【発明の詳細な説明】
【技術分野】
【０００１】
本発明は、手摺を支持する手摺支持装置に関する。
【背景技術】
【０００２】
従来より、階段や吹き抜け等の縁部において欄干状（柵状）に設置される手摺装置が知られている。このような手摺装置は、踏板や床等の設置面に下端側が固定され、上端側が手摺に固定される複数本の支柱によって手摺を支持する構成とされている。また、このような手摺装置は、複数本の支柱の高さ方向途中部位に固定される横桟を備えている。
例えば、下記特許文献１には、手摺を支持する支柱に横桟材を固定する固定具として、横桟材が上方から嵌め入れられる受溝状の凹所を設けた本体部と、この本体部に被せられるキャップ体と、を備えた固定具が開示されている。この固定具の本体部は、横桟材の長手方向に沿って長尺状とされ、長手方向両側に、支柱の前後（手摺長手方向）両側から横桟材にねじ込まれるねじの導入孔を設けた構成とされている。
【先行技術文献】
【特許文献】
【０００３】
【特許文献１】特許第４１１９４４５号公報
【発明の概要】
【発明が解決しようとする課題】
【０００４】
しかしながら、上記特許文献１に開示された固定具では、支柱の前後両側にねじの導入孔が設けられた部位が存在するため、横桟材を固定する固定具が支柱の前後両側に大きく突出するものであった。また、本体部にキャップ体が被せられるため、横桟材の四周を囲む部位の厚さ寸法が大きくなるものであった。
【０００５】
本発明は、上記実情に鑑みてなされたものであり、手摺を支持する支柱に横桟を見栄え良く固定し得る手摺支持装置を提供することを目的としている。
【課題を解決するための手段】
【０００６】
上記目的を達成するために、本発明に係る手摺支持装置は、手摺長手方向に間隔を空けて設置される複数本の支柱と、これら支柱の高さ方向途中部位に配される横桟と、この横桟が挿通される略四角筒状とされ該横桟を前記支柱に固定する横桟固定部材と、を備えており、前記横桟固定部材における前記支柱の側面に対面される第１側壁に平行状に配された第２側壁には、前記第１側壁を貫通して前記支柱に止着される止具の挿通孔が設けられ、これら第１側壁及び第２側壁の下端部を接続するように設けられた下側壁には、前記横桟に止着される止具の挿通孔が設けられていることを特徴とする。
【発明の効果】
【０００７】
本発明に係る手摺支持装置は、上述のような構成としたことで、手摺を支持する支柱に横桟を見栄え良く固定することができる。
【図面の簡単な説明】
【０００８】
【図１】本発明の一実施形態に係る手摺支持装置の一例を模式的に示す一部破断概略分解斜視図である。
【図２】同手摺支持装置を模式的に示す一部破断概略側面図である。
【図３】（ａ）は、図２におけるＹ部に対応させた一部破断概略側面図、（ｂ）は、（ａ）におけるＸ１−Ｘ１線矢視に対応させた一部破断概略横断面図、（ｃ）は、（ａ）におけるＸ２−Ｘ２線矢視に対応させた一部省略概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る手摺支持装置を設置した状態を基準として上下方向等の方向を説明する。
図１〜図３は、本実施形態に係る手摺支持装置の一例を模式的に示す図である。
【００１０】
本実施形態に係る手摺支持装置１は、図１及び図２に示すように、手摺６長手方向に間隔を空けて設置される複数本の支柱２０と、これら支柱２０の高さ方向途中部位に配される横桟２５と、この横桟２５を支柱２０に固定する横桟固定部材１０と、を備えている。
本実施形態では、手摺支持装置１は、オープン型の階段３の開放側に設置される手摺６を支持する構成とされている。つまり、手摺支持装置１は、階段３の勾配に応じて傾斜状に配される手摺６を支持する構成とされている。なお、以下では、下階側において階段３に対面した状態を基準として手前側（下階側）を前方として説明する。
【００１１】
手摺６は、階段３昇降方向に長尺状とされている。この手摺６の水平面に対する傾斜角度は、階段３の勾配に応じた角度であればよく、例えば、３０度〜５５度程度でもよい。図２では、手摺６の傾斜角度を３５度程度とした例を示している。また、この手摺６の長手方向一方側となる下階側の端部や手摺６の長手方向他方側となる上階側の端部に、適宜のキャップ部材が設けられたものでもよい。
この手摺６は、その長手方向途中部位に長手方向に間隔を空けて設置される支柱２０が固定されて支持される。この手摺６の下階側の端部を支持する支柱２０（不図示）は、下階の床２上に設置され、この支柱２０の上階側（上段側）の支柱２０は、階段３の踏板４上に設置される。これら支柱２０，２０は、１段間隔を空けて設置されるものでもよい。
【００１２】
支柱２０は、上下方向に長尺状とされ、略四角柱状とされている。本実施形態では、この支柱２０を、図３（ｂ）に示すように、中空筒状としている。この支柱２０の階段３昇降方向に向く前面及び後面は、互いに平行状で略平坦面状とされている。
また、この支柱２０の階段３幅方向外側（オープン側）に向く側面２１には、この側面２１において開口する凹部２２が設けられている。この凹部２２は、支柱２０の前後方向（手摺６長手方向）略中心に位置するように設けられている。また、本実施形態では、この凹部２２を、支柱２０の長手方向に沿って延びる溝状とした構成としている（図３（ａ）参照）。この凹部２２は、支柱２０の概ね全長に亘って設けられたものでもよい。また、図例では、支柱２０の階段３幅方向中心側に向く側面にも同様の溝状の凹部を設けた例を示している。このような構成とすれば、支柱２０のいずれ側の側面２１にも後記する横桟固定部材１０を介して横桟２５を固定することができる。
【００１３】
また、支柱２０の上端部には、図２に示すように、手摺６に固定される固定部２３が設けられている。この固定部２３は、手摺６の下面側に、ねじ等の止具によって固定される。なお、この固定部２３は、支柱２０に対して階段３幅方向に沿う軸回りに回転（揺動）自在とされたものでもよい。
また、支柱２０の下端部は、支柱２０の設置対象（床２または踏板４）に対して、ベース部材２４を介して固定される。このベース部材２４は、止具によって設置対象に固定されるものでもよい。また、このベース部材２４には、支柱２０の下端部が差し込まれる凹所が上方側に向けて開口するように設けられている。支柱２０は、ベース部材２４の凹所に差し込まれた下端部に、ベース部材２４の側周壁を貫通する止具が止着されてベース部材２４に固定されるものでもよい。
【００１４】
また、支柱２０は、高さ方向途中部位が上段側の踏板４の前端部に固定されるものでもよい。図例では、階段３の踏板４に、蹴込面を形成する蹴込板５よりも前方に突出する段鼻部を設け、この段鼻部の前端面に支柱２０の後面を当接させた例を示している。この支柱２０の高さ方向途中部位は、止具によって段鼻部に固定されるものでもよく、適宜の固定部材を介して固定されるものでもよい。なお、支柱２０の固定態様や手摺６の支持態様としては、上記のような態様に限られず、その他、種々の変形が可能である。
【００１５】
横桟２５は、図２に示すように、手摺６と平行状に配される。つまり、本実施形態では、横桟２５は、階段３昇降方向に長尺状とされ、階段３の勾配に応じて傾斜状に配される。また、上下に並列状に複数本（図例では、４本）の横桟２５を設けた例を示している。これら横桟２５は、互いに同様の構成とされているので、以下では、１つの横桟２５を例にとって説明する。
この横桟２５は、略四角柱状とされている。本実施形態では、この横桟２５を、図１及び図３（ｂ）に示すように、中空筒状としている。また、この横桟２５は、支柱２０よりも細く形成されている。
【００１６】
横桟固定部材１０は、図１に示すように、この横桟２５が挿通される略四角筒状とされている。この横桟固定部材１０は、挿通された横桟２５を支柱２０に対して固定する。また、横桟２５の長さ寸法にもよるが、横桟２５の長手方向途中部位を支柱２０に固定する横桟固定部材１０と、長手方向に隣接される横桟２５，２５の端部２６，２６を固定する横桟固定部材１０と、を備えた構成としてもよい。図１では、長手方向に隣接される横桟２５，２５の端部２６，２６を固定する横桟固定部材１０を例示している。つまり、この横桟固定部材１０は、長手方向に隣接する横桟２５，２５を接合するようにしてこれら横桟２５，２５を支柱２０に固定する構成とされている。
この横桟固定部材１０は、支柱２０の側面２１に対面される第１側壁１４と、この第１側壁１４に平行状に配された第２側壁１７と、を備えている。また、横桟固定部材１０は、これら第１側壁１４及び第２側壁１７の上端部を接続するように設けられた上側壁１１と、これら第１側壁１４及び第２側壁１７の下端部を接続するように設けられた下側壁１２と、を備えている。
【００１７】
これら第１側壁１４、第２側壁１７、上側壁１１及び下側壁１２は、横桟２５の四周を囲むように設けられている。また、これら第１側壁１４、第２側壁１７、上側壁１１及び下側壁１２の手摺６長手方向（横桟２５長手方向）に沿う寸法は、挿通された横桟２５の固定が可能なように、また、見栄え上の観点等から適宜の寸法としてもよい。図例では、これら第１側壁１４、第２側壁１７、上側壁１１及び下側壁１２の手摺６長手方向に沿う寸法を互いに同寸法とした例を示している。また、横桟固定部材１０の手摺６長手方向に沿う寸法を、横桟固定部材１０を水平状に配した状態で、支柱２０の前後方向に沿う幅寸法と略同寸法とした例を示している。なお、横桟固定部材１０の手摺６長手方向に沿う寸法を、支柱２０の幅寸法以下としてもよい。
第１側壁１４及び第２側壁１７は、階段３幅方向に厚さ方向を沿わせて配される薄板状とされている。上側壁１１及び下側壁１２は、階段３幅方向及び階段３昇降方向に直交する方向に厚さ方向を沿わせて配される薄板状とされている。これら第１側壁１４、第２側壁１７、上側壁１１及び下側壁１２の厚さ寸法は、見栄え上の観点や強度上の観点等から適宜の寸法としてもよく、また、互いに略同寸法としてもよい。これら第１側壁１４、第２側壁１７、上側壁１１及び下側壁１２の厚さ寸法は、例えば、０．５ｍｍ〜５ｍｍ程度としてもよい。
【００１８】
上側壁１１は、図１及び図３（ｂ）に示すように、孔等が設けられておらず、上側を向く表面が平坦面状とされている。
下側壁１２には、横桟２５に止着される止具９の挿通孔１３（図３（ｃ）参照）が設けられている。この挿通孔１３は、下側壁１２を厚さ方向に貫通して設けられている。また、この挿通孔１３は、止具９の頭部９ａの座部となるように、孔径が止具９の頭部９ａの径よりも小とされている。また、この挿通孔１３は、図３（ａ）に示すように、横桟固定部材１０が支柱２０に固定された状態で、止具９の頭部９ａが支柱２０の手摺６長手方向に沿う幅方向両側に露出しないように設けられている。つまり、下側壁１２の挿通孔１３に挿通された止具９の頭部９ａが、階段３幅方向に見て、支柱２０の幅内に納まるように挿通孔１３を設けた構成とされている。なお、この挿通孔１３は、階段３の勾配に応じて傾斜状に横桟２５が配された状態で、止具９の頭部９ａが支柱２０の手摺６長手方向に沿う幅方向両側に露出しないように、上記のような一般的な階段３の勾配に応じて適宜の位置に設けるようにしてもよい。
【００１９】
本実施形態では、この下側壁１２に、複数（図例では、２つ）の挿通孔１３，１３を設けた構成としている。これら挿通孔１３，１３は、手摺６長手方向に間隔を空けて設けられている。また、これら挿通孔１３，１３は、下側壁１２における階段３幅方向略中央部に位置するように設けられている。また、これら挿通孔１３，１３は、下側壁１２における手摺６長手方向中央部から互いに略等間隔を空けた位置となるように設けられている。なお、図例では、挿通孔１３，１３を、止具９の頭部９ａの略全体を露出させた状態で止具９の軸部が挿通されるものとした例を示しているが、頭部９ａの一部または略全体を受け入れるざぐり状（皿ざぐり状）の凹部が設けられたものとしてもよい。
【００２０】
第２側壁１７には、第１側壁１４を貫通して支柱２０に止着される止具８の挿通孔１８が設けられている。この挿通孔１８は、第２側壁１７を厚さ方向に貫通して設けられている。また、この挿通孔１８は、止具８の頭部の挿通が可能なように、孔径が止具８の頭部の径よりも大とされている。また、この挿通孔１８は、第２側壁１７を厚さ方向に見て第２側壁１７の略中央部に位置するように設けられている。
本実施形態では、手摺支持装置１は、この挿通孔１８を覆うキャップ部材１９を備えている。このキャップ部材１９は、挿通孔１８を覆うように挿通孔１８よりも大径状とされている。図例では、このキャップ部材１９を、挿通孔１８の貫通方向に見て、略円形状としている。また、このキャップ部材１９に、挿通孔１８に嵌め込まれる嵌込部１９ａを設けた構成としている。このキャップ部材１９は、嵌込部１９ａが挿通孔１８に圧入されて取り付けられるものでもよい。なお、キャップ部材１９としては、このような構成とされたものに限られず、その他、種々の構成とされたものでもよい。
【００２１】
第１側壁１４には、本実施形態では、支柱２０の凹部２２に挿入される突出部１５が設けられている。この突出部１５は、支柱２０の凹部２２に対して当該突出部１５の突出方向に沿う軸回りに回転自在に挿入される構成とされている。本実施形態では、突出部１５を、凹部２２の溝幅に応じた外径とされた略円柱状とした構成としている。また、この突出部１５の突出寸法を、図３（ｂ）、（ｃ）に示すように、凹部２２の溝深さ寸法に応じた寸法としている。この突出部１５の突出寸法は、凹部２２に挿入された状態で、第１側壁１４が支柱２０の側面２１に当接または近接対面するように適宜の寸法としてもよい。
【００２２】
また、この突出部１５は、第１側壁１４を厚さ方向に見て第１側壁１４の略中央部に位置するように設けられている。つまり、この突出部１５は、第２側壁１７の挿通孔１８と略同心状に設けられている。
また、本実施形態では、第１側壁１４に、止具８の挿通孔１６を設けた構成としている。この挿通孔１６は、突出部１５を突出方向に沿って貫通するように設けられている。また、この挿通孔１６は、第２側壁１７の挿通孔１８と略同心状に設けられている。
また、この挿通孔１６は、第２側壁１７側部位に、止具８の頭部の略全体を受け入れる皿ざぐり状の凹部１６ａを設けた構成とされている。また、挿通孔１６は、この凹部１６ａに連なるように、止具８の軸部が挿通される軸挿通部１６ｂを設けた構成とされている。
【００２３】
上記構成とされた横桟固定部材１０は、図３（ｂ）、（ｃ）に示すように、突出部１５を支柱２０の凹部２２に差し込み、第２側壁１７の挿通孔１８及び第１側壁１４の挿通孔１６を介して止具８を支柱２０に止着して支柱２０に固定するようにしてもよい。また、このように固定された横桟固定部材１０の中空部に対して挿通された横桟２５に、下側壁１２の挿通孔１３を介して止具９を止着して横桟２５を固定するようにしてもよい。また、第２側壁１７の挿通孔１８に、キャップ部材１９を取り付けるようにしてもよい。
なお、横桟固定部材１０を、手摺６の長手方向の端部を支持する支柱２０に横桟２５の端部２６を固定するものとしてもよい。この場合は、横桟固定部材１０の手摺６長手方向に向く開口を覆うキャップ部材等を設けた態様としてもよい。
【００２４】
また、横桟固定部材１０及び横桟２５は、上記のように水平面に対して傾斜状に配されて固定されるものに限られない。例えば、横桟固定部材１０は、吹き抜けや踊り場、廊下部の縁において水平状に配される手摺６の下方側に平行状に設けられる横桟２５を支柱２０に固定するものでもよい。
また、横桟固定部材１０、上記した支柱２０及び横桟２５は、合成樹脂系材料や金属系材料から形成されたものでもよい。また、支柱２０及び横桟２５は、木質系材料から形成されたものでもよい。また、本実施形態に係る手摺支持装置１は、上記した手摺６を備えた手摺装置として把握するようにしてもよい。
【００２５】
本実施形態に係る手摺支持装置１は、上述のような構成としたことで、手摺６を支持する支柱２０に横桟２５を見栄え良く固定することができる。
つまり、横桟２５が挿通される略四角筒状とされ、この横桟２５を支柱２０に固定する横桟固定部材１０を備えた構成としている。従って、本体部にキャップ体を被せる構造としたものと比べて、横桟２５の四周を囲む部位の厚さ寸法を効果的に小さくすることができる。また、横桟固定部材１０の第２側壁１７に、支柱２０の側面２１に対面される第１側壁１４を貫通して支柱２０に止着される止具８の挿通孔１８を設けた構成としている。従って、第２側壁１７の挿通孔１８を介して止具８を支柱２０に止着して横桟固定部材１０を支柱２０に対して固定することができる。また、下側壁１２に、横桟２５に止着される止具９の挿通孔１３を設けた構成としている。従って、支柱２０の側面２１に対面される第１側壁１４に横桟２５に止着される止具９の挿通孔を設けたようなものと比べて、止具９を目立ち難くすることができる。また、支柱２０の手摺６長手方向に沿う幅方向両側に大きく突出する部位を設ける必要がなく、横桟固定部材１０の手摺６長手方向に沿う寸法を小さくすることができる。
【００２６】
また、本実施形態では、下側壁１２の挿通孔１３を、横桟固定部材１０が支柱２０に固定された状態で、止具９の頭部９ａが支柱２０の手摺６長手方向に沿う幅方向両側に露出しないように設けた構成としている。従って、第１側壁１４側から見た状態では、止具９の頭部９ａが支柱２０によって隠れた状態となるため、止具９の頭部９ａをより目立ち難くすることができる。
また、本実施形態では、第２側壁１７の挿通孔１８を覆うキャップ部材１９を設けた構成としている。従って、止具８の挿通孔１８をキャップ部材１９によって覆い隠すことができ、見栄えを向上させることができる。なお、このようなキャップ部材１９を設けていない構成としてもよい。
【００２７】
また、本実施形態では、横桟固定部材１０の第１側壁１４に、支柱２０の側面２１に設けられた凹部２２に挿入される突出部１５を設けた構成としている。従って、突出部１５を支柱２０の凹部２２に挿入することで、支柱２０に対して横桟固定部材１０を位置決めすることができる。なお、上記した例では、支柱２０の側面２１に溝状の凹部２２を設けた例を示しているが、突出部１５に応じた形状の穴状の凹部２２を設けた態様としてもよい。この場合は、支柱２０の側面２１に、長手方向に間隔を空けて複数箇所に凹部２２を設けた構成等としてもよい。また、上記した例では、突出部１５を、支柱２０の凹部２２に対して回転自在に挿入される構成とした態様としたが、支柱２０の凹部２２に対して回転不能に挿入される構成としてもよい。この場合は、例えば、突出部１５を、略多角柱状とした態様等としてもよい。さらには、このような突出部１５や凹部２２を設けていない構成としてもよい。
【００２８】
また、上記した例では、横桟２５を、略四角柱状とした例を示しているが、四角以外の略多角柱状とされたものや略円柱状とされたものとしてもよい。この場合は、横桟固定部材１０の中空部を横桟２５の形状に対応させて、適宜、変形するようにしてもよい。本実施形態に係る手摺支持装置１の上記した各部材及び各部の構成は、一例に過ぎず、その他、種々の変形が可能である。
【符号の説明】
【００２９】
１        手摺支持装置
１０      横桟固定部材
１２      下側壁
１３      挿通孔
１４      第１側壁
１５      突出部
１７      第２側壁
１８      挿通孔
１９      キャップ部材
２０      支柱
２１      側面
２２      凹部
２５      横桟
６        手摺
８，９    止具
９ａ      頭部
【図１】
2020033738.tif 000003
【図２】
2020033738.tif 000004
【図３】
2020033738.tif 000005